(57)【要約】【課題】身体の一部に装着して使用される形象玩具において当該形象玩具の動き以外の楽しさおよび面白さを使用者に提供できる形象玩具を提供する。【解決手段】形象玩具１０は、玩具本体１１とその表面の一部（胴部１１ａ）を覆う被覆部材１２とを備えている。被覆部材１２は、帯状を成し、第１情報１２ａ１および１２ａ２が設けられた一方面１２ａと、第１情報１２ａ１および１２ａ２とは異なる第２情報１２ｂ１および１２ｂ２が設けられた他方面１２ｂとを有しているとともに、一端部分に第１接続部１２ｃ１を有し、かつ、他端部分に第１接続部１２ｃ１に着脱可能に接続される第２接続部１２ｃ２を有している。すなわち、被覆部材１２は、他方面１２ｂが玩具本体１１の表面の一部に接する第１被覆状態と、一方面１２ａが玩具本体１１の表面の一部に接する第２被覆状態とに切り替えられるようになっている。【選択図】図４
2019150650.tif 000002
【特許請求の範囲】
【請求項１】
身体の一部に装着して使用される形象玩具であって、
玩具本体と、前記玩具本体の表面の一部を覆う被覆部材とを備えており、
前記玩具本体は、前記被覆部材用の被取付部材を有しており、
前記被覆部材は、第１情報が設けられた一方面と、前記第１情報とは異なる第２情報が設けられた他方面と、前記被取付部材に取り付けるための取付部材とを有しており、
前記被覆部材は、前記玩具本体の表面の一部を覆っていない状態で前記他方面が前記玩具本体の表面の一部に接する第１被覆状態と、前記一方面が前記玩具本体の表面の一部に接する第２被覆状態との切り替えが行えるように構成されている、
形象玩具。
【請求項２】
前記被覆部材は、前記第１被覆状態で前記第１情報が提示され、前記第２被覆状態で前記第２情報が提示されるように構成されている、
請求項１に記載の形象玩具。
【請求項３】
前記第１情報および前記第２情報は、文字、記号、絵、図形および色の少なくとも１つを含んでいる、
請求項１または２に記載の形象玩具。
【請求項４】
前記被覆部材は、帯状を成していて、一端部分に第１接続部を有し、かつ、他端部分に前記第１接続部に着脱可能に接続される第２接続部を有しており、
前記被覆部材は、前記形象玩具に巻き付けて前記第１接続部と前記第２接続部とを接続することにより前記玩具本体の表面の一部を覆っている状態となり、前記第１接続部と前記第２接続部との接続を解くことにより前記玩具本体の表面の一部を覆っていない状態になるように構成されている、
請求項１〜３のいずれか１項に記載の形象玩具。
【請求項５】
前記第１接続部と前記第２接続部は、互いの接続位置を変化させることにより前記被覆部材が前記玩具本体の表面の一部を覆っている状態における締め付け態様を調整できるように構成されている、
請求項４に記載の形象玩具。
【請求項６】
前記第１接続部と前記第２接続部は、面ファスナーである、
請求項４または５に記載の形象玩具
【請求項７】
前記取付部材は、前記被取付部材に着脱可能に取り付けられる、
請求項１〜６のいずれか１項に記載の形象玩具。
【請求項８】
前記取付部材は、輪状部材であり、
前記被取付部材は、前記輪状部材が着脱可能に取付可能な形状を有している、
請求項７に記載の形象玩具。
【請求項９】
前記取付部材は、弾性を有している、
請求項１〜８のいずれか１項に記載の形象玩具。
【請求項１０】
前記玩具本体は、少なくとも頭部と胴部を有しており、
前記被覆部材よって覆われる前記玩具本体の表面の一部は、前記胴部である、
請求項１〜９のいずれか１項に記載の形象玩具。
【請求項１１】
前記形象玩具には、前記身体の一部を挿入可能な挿入部が前記胴部内から前記頭部内に及んで形成されている、
請求項１０に記載の形象玩具。
【請求項１２】
前記身体の一部は、手および前腕の一部である、
請求項１１に記載の形象玩具。
【請求項１３】
前記玩具本体は、前記胴部に腕部をさらに有しており、
前記被覆部材には、前記玩具本体の表面の一部を覆っている状態で前記腕部を挿入可能な孔が形成されている、
請求項１０〜１２のいずれか１項に記載の形象玩具。
【請求項１４】
前記玩具本体は、前記胴部に脚部をさらに有しており、
前記被覆部材は、前記玩具本体の表面の一部を覆っている状態で前記脚部によりその下縁位置が規制される、
請求項１０〜１３のいずれか１項に記載の形象玩具。
【請求項１５】
前記玩具本体は、ぬいぐるみである、
請求項１０〜１４のいずれか１項に記載の形象玩具。
【請求項１６】
前記被覆部材は、前記玩具本体の表面の一部を覆っている状態で前記玩具本体の自立を補助するように構成されている、
請求項１０〜１５のいずれか１項に記載の形象玩具。  
【請求項１７】
前記玩具本体には、前記身体の一部により操作可能な音出力部材が内蔵されている、
請求項１〜１６のいずれか１項に記載の形象玩具。
【請求項１８】
前記音出力部材は、前記玩具本体内で変位可能に内蔵されている、
請求項１７に記載の形象玩具。
【請求項１９】
前記音出力部材は、鳴き笛である、
請求項１７または１８に記載の形象玩具。
【発明の詳細な説明】
【技術分野】
【０００１】
本発明は、身体の一部に装着して使用される形象玩具に関する。
【背景技術】
【０００２】
後記特許文献１には、手指を挿入可能な開口部を有するハンドパペット（動物のキャラクタ人形）が開示されている。このハンドパペットは手指を開口部から内部に挿入し、手指の操作によってハンドパペットに動きを生じさせることによって、所期の遊戯を行うものである。
【０００３】
しかしながら、前記のハンドパペットは、手指の操作によってハンドパペットに動きを生じさせることを主眼としたものであるため、それ以外の楽しさおよび面白さを使用者に感じさせることは難しい。
【先行技術文献】
【特許文献】
【０００４】
【特許文献１】登録実用新案第３１８９１０４号公報
【発明の概要】
【発明が解決しようとする課題】
【０００５】
本発明が解決しようとする課題は、身体の一部に装着して使用される形象玩具において当該形象玩具の動き以外の楽しさおよび面白さを使用者に提供できる形象玩具を提供することにある。
【課題を解決するための手段】
【０００６】
本発明に係る形象玩具は、身体の一部に装着して使用される形象玩具であって、玩具本体と、前記玩具本体の表面の一部を覆う被覆部材とを備えており、前記玩具本体は、前記被覆部材用の被取付部材を有しており、前記被覆部材は、第１情報が設けられた一方面と、前記第１情報とは異なる第２情報が設けられた他方面と、前記被取付部材に取り付けるための取付部材とを有しており、前記被覆部材は、前記玩具本体の表面の一部を覆っていない状態で前記他方面が前記玩具本体の表面の一部に接する第１被覆状態と、前記一方面が前記玩具本体の表面の一部に接する第２被覆状態との切り替えが行えるように構成されている。
【発明の効果】
【０００７】
本発明に係る形象玩具によれば、形象玩具の動き以外の楽しさおよび面白さを使用者に提供することができる。
【図面の簡単な説明】
【０００８】
【図１】図１（Ａ）は本発明を適用した形象玩具（第１被覆状態）の前面図、図１（Ｂ）は同右側面図、図１（Ｃ）は同後面図、図１（Ｄ）は同下面図である。
【図２】図２は図１に示した玩具本体の縦断面図である。
【図３】図３（Ａ）は図１に示した被覆部材の一方面を示す図、図３（Ｂ）は同他方面を示す図である。
【図４】図４（Ａ）および図４（Ｂ）は図１に示した被覆部材を第１被覆状態から第２被覆状態に切り替える手順の説明図である。
【図５】図５（Ａ）は形象玩具（第２被覆状態）の前面図、図５（Ｂ）は同後面図である。
【図６】図６は図１および図５に示した形象玩具の使用方法の説明図である。
【発明を実施するための形態】
【０００９】
以下、図１〜図６を用いて、本発明を適用した形象玩具１０、すなわち、玩具本体１１とその表面の一部を覆う被覆部材１２とを備えた形象玩具１０について説明する。なお、この説明では、便宜上、図１（Ａ）の手前側を前、奥側を後、左側を左、右側を右、上側を上、下側を下と表記し、他の図についてもこれらに準じて向きを表記する。
【００１０】
まず、図１および図２を用いて、玩具本体１１について説明する。
【００１１】
この玩具本体１１は、胴部１１ａと頭部１１ｂとを連続して有するぬいぐるみである。胴部１１ａの前側には２個の腕部１１ｃと２個の脚部１１ｄが上下方向に間隔をおいて設けられている。また、頭部１１ｂの上側には２個の耳部１１ｅが設けられ、前側には２個の眼部１１ｆが設けられている他、耳部１１ｅの間には帽子部１１ｇが設けられ、胴部１１ａの後側には後述する被取付部材１１ｈが設けられている。なお、実際の玩具本体１１の左面、右面および後面には胴部１１ａと頭部１１ｂとの境界線は明瞭に現れないが、図面には、説明の便宜上、両者の境界線を描いてある。
【００１２】
さらに、胴部１１ａおよび頭部１１ｂの内側には、胴部１１ａ内から頭部１ｂ内に及んで袋状の内側部材１１ｉが設けられている。この内側部材１１ｉにより空洞（符号省略）が形成されている。この内側部材１１ｉには、胴部１１ａ内の下端部分に開口部分が形成されていて、その開口部分から身体の一部、例えば手および前腕の一部を挿入可能な挿入部１１ｊが形成されている。すなわち、挿入部１１ｊは、胴部１１ａ内から頭部１ｂ内に及んで形成されており、挿入された身体の一部の動きに対して変形できるような態様にある。
【００１３】
さらに、胴部１１ａおよび頭部１１ｂと内側部材１１ｉとの間には、挿入部１１ｊに挿入された身体の一部の動きを許容するクッション材１１ｋが充填されているとともに、挿入部１１ｊに挿入された身体の一部によって操作可能な音出力部材１３、例えば鳴き笛が内蔵されている。この音出力部材１３の内蔵位置は、胴部１１ａおよび頭部１１ｂと内側部材１１との間において任意に変化させることができる。
【００１４】
なお、玩具本体１１は、ぬいぐるみであるため、胴部１１ａと頭部１１ｂと各腕部１１ｃと各脚部１１ｄと各耳部１１ｅには、ボア系生地やフェルト系生地等が用いられている。また、挿入部１１ｊを構成する内側部材１１ｉには、挿入部１１ｊに挿入された身体の一部の動きを支障無く行えるような合成樹脂系生地や絹系生地等が用いられている。さらに、クッション材１１ｋには、挿入部１１ｊに挿入された身体の一部の動きを支障無く行え、かつ、音出力部材１３の位置が変化できるような綿類やビーズ類やパイプ類等が用いられている。ちなみに、図１には、玩具本体１１として動物を模したものを示しているが、この玩具本体１１はアニメーションや漫画や小説等に登場するキャラクターを模したもの等であっても良い。
【００１５】
次に、図１および図３を用いて、被覆部材１２について説明する。
【００１６】
この被覆部材１２は帯状（上縁または下縁に凸部や凹部を有するものも含む）を成しており、第１情報１２ａ１および１２ａ２が設けられた一方面１２ａと、第１情報１２ａ１および１２ａ２とは異なる第２情報１２ｂ１および１２ｂ２が設けられた他方面１２ｂとを有している。この第１情報１２ａ１および１２ａ２と第２情報１２ｂ１および１２ｂ２については後に詳述する。
【００１７】
また、被覆部材１２は、一端部分に第１接続部１２ｃ１を有し、かつ、他端部分に第１接続部１２ｃ１に着脱可能に接続される第２接続部１２ｃ２を有している。これら第１接続部１２ｃ１および第２接続部１２ｃ２は、好ましくは互いの接続位置を変化可能なもの、例えば面ファスナーによって構成されている。さらに、被覆部材１２には、玩具本体１１の各腕部１１ｃを挿入可能な孔１２ｄが２個形成されている。
【００１８】
さらに、被覆部材１２は、玩具本体１１の被取付部材１１ｈ、例えば円形状ボタンへの取り付けを可能とした取付部材１２ｅを上縁中央に有している。ちなみに、被取付部材１１ｈが円形状ボタンである場合、この円形状ボタンは玩具本体１１に直接縫い付けることによって当該玩具本体１１に設けられている。また、被取付部材１１ｈが円形状ボタンである場合の被覆部材１２の取付部材１２ｅには、好ましくはこの円形状ボタンに着脱可能に取り付けることができる輪状部材、例えば輪状紐が使用できる他、弾性を有する輪状ゴム紐を使用できる。
【００１９】
ここで、被覆部材１２の一方面１２ａに設けられた第１情報１２ａ１および１２ａ２と、他方面に設けられた第２情報１２ｂ１および１２ｂ２について説明する。一方面１２ａ側の第１情報１２ａ１および１２ａ２うち、１２ａ１は図１（第１被覆状態）において玩具本体１１の前面側に現れる情報を指し、１２ａ２は玩具本体１１の後面側に現れる情報を指している。また、他方面１２ｂ側の第２情報１２ｂ１および１２ｂ２うち、１２ｂ１は図５（第２被覆状態）において玩具本体１１の前面側に現れる情報を指し、１２ｂ２は玩具本体１１の後面側に現れる情報を指している。
【００２０】
一方面１２ａの第１情報１２ａ１および１２ａ２はいずれも「Ａ  Ｂ  Ｃ」の文字列であり、他方面１２ｂの第２情報１２ｂ１および１２ｂ２はいずれも「Ｘ  Ｙ  Ｚ」の文字列であって第１情報１２ａ１および１２ａ２とは異なっている。また、一方面１２ａの第１情報１２ａ１および１２ａ２うちの１２ａ１と、他方面１２ｂの第２情報１２ｂ１および１２ｂ２うちの１２ｂ１は、いずれも第１接続部１２ｃ１および第２接続部１２ｃ２の接続位置と重なっているため、１２ａ１は「Ａ］を有する分割部分１２ａ１１と「Ｂ  Ｃ］を有する分割部分１２ａ１２とに分けられており、１２ｂ１も「Ｘ］を有する分割部分１２ｂ１１と「Ｙ  Ｚ］を有する分割部分１２ｂ１２とに分けられている（図４を参照）。
【００２１】
次に、図１、図４および図５を用いて、玩具本体１１に対する被覆部材１２の被覆状態、ならびに、被覆状態の切り替え手順について説明する。ちなみに、図１は被覆部材１２の第１被覆状態を示し、図５は被覆部材１２の第２被覆状態を示す。
【００２２】
図１に示した第１被覆状態では、被覆部材１２は玩具本体１１の表面の一部、具体的には胴部１１ａに巻き付けられて当該胴部１１ａの表面を覆っている。この第１被覆状態では被覆部材１２の他方面１２ｂが胴部１１ａの表面に接しており、被覆部材１２の一方面１２ａが露出している。また、被覆部材１２の第１接続部１２ｃ１と第２接続部１２ｃ２が玩具本体１１の前面側で接続されている。さらに、被覆部材１２の２個の孔１２ｄには玩具本体１１の２個の腕部１１ｃがそれぞれ挿入されており、当該挿入によって被覆部材１２の上下左右方向の位置決めが為されている。さらに、被覆部材１２の下縁は玩具本体１１の２個の脚部１１ｄによってその位置が規制されており、これにより被覆部材１２の下方向の位置決めが為されている。つまり、この第１被覆状態では、第１情報１２ａ１および１２ａ２のうちの１２ａ１が玩具本体１１の前面側で露出し、かつ、１２ａ２が後面側で露出するため、第１情報１２ａ１および１２ａ２（「Ａ  Ｂ  Ｃ」）が外部に提示される。
【００２３】
図１に示した被覆部材１２を第１被覆状態から第２被覆状態に切り替えるときには、図４（Ａ）に示したように、第１接続部１２ｃ１と第２接続部１２ｃ２との接続を解いて被覆部材１２を胴部１１ａの表面を覆っていない状態とした後、図４（Ｂ）に示したように、取付部材１２ｅを基準として被覆部材１２を回転させて当該被覆部材１２を反転させる。そして、図５に示したように、反転後の被覆部材１２を胴部１１ａに巻き付けつつ、被覆部材１２の２個の孔１２ｄに玩具本体１１の２個の腕部１１ｃをそれぞれ挿入し、第１接続部１２ｃ１と第２接続部１２ｃ２を玩具本体１１の前面側で接続する。
【００２４】
すなわち、図５に示した第２被覆状態では、先に述べた第１被覆状態と同様に、被覆部材１２は玩具本体１１の表面の一部、具体的には胴部１１ａに巻き付けられて当該胴部１１ａの表面を覆っている。この第２被覆状態では被覆部材１２の一方面１２ａが玩具本体１１の胴部１１ａの表面に接しており、被覆部材１２の他方面１２ｂが露出している。また、被覆部材１２の第１接続部１２ｃ１と第２接続部１２ｃ２が玩具本体１１の前面側で接続されている。さらに、被覆部材１２の２個の孔１２ｄには玩具本体１１の２個の腕部１１ｃがそれぞれ挿入されており、当該挿入によって被覆部材１２の上下左右方向の位置決めが為されている。さらに、被覆部材１２の下縁は玩具本体１１の２個の脚部１１ｄによってその位置が規制されており、これにより被覆部材１２の下方向の位置決めが為されている。つまり、この第２被覆状態では、第２情報１２ｂ１および１２ｂ２のうちの１２ｂ１が玩具本体１１の前面側で露出し、かつ、１２ｂ２が後面側で露出するため、第２情報１２ｂ１および１２ｂ２（「Ｘ  Ｙ  Ｚ」）が外部に提示される。
【００２５】
なお、図５に示した被覆部材１２を第２被覆状態から第１被覆状態に切り替えるときの手順は、図１に示した被覆部材１２を第１被覆状態から第２被覆状態に切り替えるときの手順と同様であるため、その説明を省略する。
【００２６】
次に、図６を用いて、図１に示した第１被覆状態と図５に示した第２被覆状態における形象玩具１０の使用方法を、実用上の作用効果を交えて説明する。
【００２７】
使用者は、玩具本体１１の挿入部１１ｊ（図２を参照）に一方の手および前腕の一部ＵＬを挿入した状態にて、他方の手で第１被覆状態と第２被覆状態の切り替えを行うことができるため、切り替えの際に改めて挿入部１１ｊから手を抜く必要がなく、容易に取り扱うことができる。なお、勿論、使用者は、第１被覆状態と第２被覆状態の切り替えを行った後、図６に示したように、玩具本体１１の挿入部１１ｊ（図２を参照）に手および前腕の一部ＵＬを挿入してもよい。この挿入状態では、手の動きによって玩具本体１１の特に頭部１１ｂを変形できるため、使用者はこの変形に伴う遊戯を楽しむこともできる。
【００２８】
また、図６に示した挿入状態では、被覆部材１２が第１被覆状態にあるときに第１情報１２ａ１および１２ａ２（「Ａ  Ｂ  Ｃ」）が外部に提示され、第２被覆状態にあるときに第１情報１２ａ１および１２ａ２とは異なる第２情報１２ｂ１および１２ｂ２（「Ｘ  Ｙ  Ｚ」）が外部に提示される。すなわち、使用者はこれら第１情報１２ａ１および１２ａ２と第２情報１２ｂ１および１２ｂ２を選択的に利用して、野球やサッカー等の競技の応援グッズとして用いることによる楽しさおよび面白さを味わうことができる。
【００２９】
さらに、被覆部材１２を玩具本体１１に着脱可能に構成しておけば、被覆部材１２を別の被覆部材と交換することも可能となるため、外部に提示可能な情報のバリエーションを増加できるとともに、この増加に基づく汎用性も高めて、前記の楽しさおよび面白さをより一層のものとすることができる。
【００３０】
さらに、図１に示した第１被覆状態と図５に示した第２被覆状態では、第１接続部１２ｃ１と第２接続部１２ｃ２との接続位置を変化させることによって被覆部材１２の締め付け状態を調整することができる。すなわち、使用者の手および前腕の一部ＵＬの太さに合わせて玩具本体１１の挿入部１１ｊの内形を調整できるため、図６に示した挿入状態で形象玩具１０を振り動かしたときに当該形象玩具１０が抜け落ちることを抑制することができる。また、使用者が手および前腕の一部ＵＬを挿入部１１ｊに挿入しつつ音出力部材１３（鳴き笛）を把持することで、使用者の手および前腕の一部ＵＬから当該形象玩具１０が抜け落ちることをさらに抑制することができる。
【００３１】
さらに、図６に示した挿入状態では、手によって音出力部材１３（鳴き笛）を操作して音を発することもできるため、この音発生によって前記応援グッズとしての付加価値を高めることができる。
【００３２】
さらに、図１に示した第１被覆状態と図５に示した第２被覆状態では、形象玩具１０を卓上等に自立させて観賞用として用いることもできる。この場合、被覆部材１２は玩具本体１１の胴部１１ａの形を整え、かつ、補強する役割を果たすため、玩具本体１１が柔軟であっても前記自立を補助することができる。
【００３３】
次に、図１〜図６を用いて説明した形象玩具１０の変形例について説明する。
【００３４】
〈変形例１〉被覆部材１２の一方面１２ａの第１情報１２ａ１および１２ａ２、ならびに、他方面１２ｂの第２情報１２ｂ１および１２ｂ２として文字列を例示したが、第１情報および第２情報は文字以外の記号や絵や図形や色、または、これらの組み合わせであっても良い。例えば、情報が文字、記号、絵または図形の場合には、異なる文字、記号、絵または図形を一方面１２ａと他方面１２ｂに設ける他、同じ文字、記号、絵または図形で色が異なるものを一方面１２ａと他方面１２ｂに設けるようにしても良い。また、文字、記号、絵または図形を設けずに、被覆部材１２の一方面１２ａと他方面１２ｂの地色を異ならせるだけでも良い。すなわち、被覆部材１２の一方面１２ａで提示される第１情報と一方面１１ｂで提示される第２情報とが異なっていれば、各々の態様に特段の制限は無い。
【００３５】
〈変形例２〉被覆部材１３の第１接続部１２ｃ１と第２接続部１２ｃ２として面ファスナーを例示したが、面ファスナーに代えて複数のスナップボタン等を用いて互いの接続位置を変化できるようにしても良い。
【００３６】
〈変形例３〉被覆部材１２の上縁中央に取付部材１２ｅを設けたものを例示したが、取付部材１２ｅとして長さが長いものや弾性を有するものを用いる場合には、被覆部材１２の上縁中央から少しずれた位置に取付部材１２ｅを設けることも可能である。なお、被覆部材１２に設けた取付部材１２ｅと玩具本体１１に設けた被取付部材１１ｈは、使用途中で両者が分離しないようにするための配慮でもあるため、被覆部材１２の交換が不要であれば、取付部材１２ｅを被取付部材１１ｈに着脱可能に取り付けられるようにする必要は無い。
【００３７】
〈変形例４〉玩具本体１１として２個の腕部１１ｃを有するものを例示するとともに、被覆部材１２としてこの２個の腕部１１ｃが挿入可能な２個の孔１２ｄが形成されるものを例示したが、玩具本体１１から２個の腕部１１ｃを排除し、かつ、被覆部材１２から２個の孔１２ｄを排除しても良い。この場合、孔１２ｄへの腕部１１ｃの挿入による位置決めは行えなくなるものの、被覆部材１２の第１接続部１２ｃ１と第２接続部１２ｃ２の接続位置を調整することによって当該被覆部材１２の被覆態様を略同じようにすることは可能である。また、この場合、玩具本体１１の表面の一部を被覆部材１２によって被覆するときに腕部１１ｃと孔１２ｄとの位置合わせが不要になるため、第１接続部１２ｃ１と第２接続部１２ｃ２とが玩具本体１１の前面側以外で接続されるような態様、例えば玩具本体１１の被取付部材１１ｈを胴部１１ａの後側以外の位置にずらした態様や、被覆部材１２の取付部材１２ｅを当該被覆部材１２の上縁中央から大きくずらした態様や端部にずらした態様等を採用することも可能となる。
【００３８】
〈変形例５〉玩具本体１１として２個の脚部１１ｄを有するものを例示したが、玩具本体１１から２個の脚部１１ｄを排除しても良い。この場合、被覆部材１２の下縁位置を玩具本体１１の２個の脚部１１ｄによって規制することによる位置決めは行えなくなるものの、被覆部材１２の締め付けを利用して当該被覆部材１２の被覆態様を略同じようにすることは可能である。
【符号の説明】
【００３９】
１０…形象玩具、１１…玩具本体、１１ａ…胴部、１１ｂ…頭部、１１ｃ…腕部、１１ｄ…脚部、１１ｈ…被取付部材、１１ｊ…挿入部、１２…被覆部材、１２ａ…一方面、１２ａ１…第１情報、１２ｂ…他方面、１２ｂ１…第２情報、１２ｃ１…第１接続部、１２ｃ２…第２接続部、１２ｄ…孔、１２ｅ…取付部材、１３…音出力部材。
【図１】
2019150650.tif 000003
【図２】
2019150650.tif 000004
【図３】
2019150650.tif 000005
【図４】
2019150650.tif 000006
【図５】
2019150650.tif 000007
【図６】
2019150650.tif 000008